(57)【要約】【課題】光学式のタッチパネルにおいて、対象の位置決定の信頼性を向上させる。【解決手段】タッチパネル１０１、光学ユニット１０２、反射部１０３および演算部１０４等で構成される座標入力装置において、対象検出の閾値を可変にすることで安定した検出を行う。【選択図】　　　　図１
2004110442.tif 000002
【特許請求の範囲】
【請求項１】
タッチパネルの異なる位置に設置され、タッチパネルにほぼ平行に、かつ、設置位置を中心に光を射出する複数の光源部と、
タッチパネルに設置され前記光源部からの光を前記光源部に向けて反射する反射部と、
前記光源部の設置位置にそれぞれ設置され、前記反射部からの反射光を受光する受光部とを有し、
前記光源部と前記受光部を１つのユニット（以下、光学ユニットとする）として、遮蔽物で光を遮蔽した時にその遮蔽された位置を検出する位置検出手段と、
タッチ検出時のタッチ／デタッチの判定、及び座標位置の算出に用いる閾値（検出レベル）を定める閾値決定手段とを有することを特徴とする座標入力装置。
【請求項２】
前記閾値は前記遮蔽物の場所に依らず一定であることを特徴とする請求項１記載の座標入力装置。
【請求項３】
前記閾値は前記遮蔽物の場所により変化することを特徴とする請求項１記載の座標入力装置。
【請求項４】
前記閾値は前記遮蔽物の場所を表す２つのパラメータに従い変化することを特徴とする請求項３記載の座標入力装置。
【請求項５】
前記閾値は前記遮蔽物の場所を表す１つのパラメータに従い変化することを特徴とする請求項３記載の座標入力装置。
【請求項６】
前記閾値は光学ユニットを中心にした角度によって変化することを特徴とする請求項５記載の座標入力装置。
【請求項７】
前記閾値は光学ユニットに対する再帰反射板の角度により変化することを特徴とする請求項１記載の座標入力装置。
【請求項８】
前記閾値は各タッチパネルの既定の閾値を個別に調査し、決定することを特徴とする請求項１記載の座標入力装置。
【請求項９】
前記閾値はタッチパネルに用いる光学ユニットに対して独立に設定することを特徴とする請求項１記載の座標入力装置。
【発明の詳細な説明】
【０００１】
【発明の属する技術分野】
本発明は、反射光を検出することにより対象の位置を算出する座標入力装置に関する。
【０００２】
【従来の技術】
タッチパネルの方式には抵抗膜方式や超音波方式などがある。抵抗膜方式では透明導電膜のＩＴＯ（インジウム錫酸化物）を押下することで導電膜同士が接触し検出が行われる。接触点の左右、上下で電位勾配ができ、座標が分かる。超音波方式では送信部から出た表面波が受信部に届くまでに、指の触れた部分を通る経路において表面波が吸収され、受信波の大きさが変化する。この変化を時系列で処理することにより、検知物の座標を検出する。
【０００３】
光学式のタッチパネルに関する技術の一例を挙げる。特許文献１では光学式の座標検出方法を提示している。特許文献２では反射光を繰り返し検出し、差分を取ることで検知部の座標を決定する。これによって誤った入力を防いでいる。
【０００４】
【特許文献１】
特開平９−９１０９４
【特許文献２】
特開２００１−８４０９１
【０００５】
【発明が解決しようとする課題】
しかしながら、タッチパネルの異なる位置に設置され、タッチパネルにほぼ平行に、かつ、設置位置を中心に光を射出する光源部と、タッチパネルに設置され光源部からの光をこの光源部に向けて反射する反射部と、光源部の設置位置にそれぞれ設置され、反射部からの反射光を光源部と受光部を１つのユニットとした指等の遮蔽物で光を遮蔽した時にその遮蔽された位置を検出する座標入力装置は、以下の課題がある。
１．タッチエリアの検出波形のバラツキにより、誤検出が発生する。
２．　光学ユニットから発せられる光が完全に均一ではない場合、光学ユニットに対する検出位置の角度により、検出波形レベルが変動する。
３．タッチエリア外周に設置される反射板の角度により反射光に強弱が発生し、検出波形レベルが異なる。
４．タッチパネル個体間により検出波形が異なる。
５．タッチパネル光学ユニットに個体差により検出波形が異なる。
【０００６】
本発明は、上記の不具合を解決し、確実に、精度良く、安全に、座標位置検出が出来る座標入力装置を提供することを目的とする。
【０００７】
【課題を解決するための手段】
上記課題を解決するために、請求項１記載の発明は、タッチパネルの異なる位置に設置され、タッチパネルにほぼ平行に、かつ、設置位置を中心に光を射出する複数の光源部と、タッチパネルに設置され上記光源部からの光を上記光源部に向けて反射する反射部と、上記光源部の設置位置にそれぞれ設置され、上記反射部からの反射光を受光する受光部とを有し、上記光源部と上記受光部を１つのユニット（以下、光学ユニットとする）として、遮蔽物で光を遮蔽した時にその遮蔽された位置を検出する位置検出手段と、タッチ検出時のタッチ／デタッチの判定、及び座標位置の算出に用いる閾値（検出レベル）を定める閾値決定手段とを有することを特徴とする。
【０００８】
請求項２記載の発明は、請求項１記載の座標入力装置において、上記閾値は上記遮蔽物の場所に依らず一定であることを特徴とする。
【０００９】
請求項３記載の発明は、請求項１記載の座標入力装置において、上記閾値は上記遮蔽物の場所により変化することを特徴とする。
【００１０】
請求項４記載の発明は、請求項３記載の座標入力装置において、上記閾値は上記遮蔽物の場所を表す２つのパラメータに従い変化することを特徴とする。
【００１１】
請求項５記載の発明は、請求項３記載の座標入力装置において、上記閾値は上記遮蔽物の場所を表す１つのパラメータに従い変化することを特徴とする。
【００１２】
請求項６記載の発明は、請求項５記載の座標入力装置において、上記閾値は光学ユニットを中心にした角度によって変化することを特徴とする。
【００１３】
請求項７記載の発明は、請求項１記載の座標入力装置において、上記閾値は光学ユニットに対する再帰反射板の角度により変化することを特徴とする。
【００１４】
請求項８記載の発明は、請求項１記載の座標入力装置において、上記閾値は各タッチパネルの既定の閾値を個別に調査し、決定することを特徴とする。
【００１５】
請求項９記載の発明は、請求項１記載の座標入力装置において、上記閾値はタッチパネルに用いる光学ユニットに対して独立に設定することを特徴とする。
【００１６】
【発明の実施の形態】
図１に本発明の座標入力装置の構成を述べる。
タッチパネルの構成は、タッチパネル（１０１）の下部両端に光学ユニットＬ、Ｒ（１０２Ａ、１０２Ｂ）を、タッチパネルの左右および上側に光学ユニットから射出された扇状の光を射出された光源に向かって反射する反射部（１０３Ａ、１０３Ｂ、１０３Ｃ）を配し、光学ユニットＬ、Ｒの駆動および光学ユニット受光部からの信号を入力し、座標位置の演算をする演算部（１０４）と演算した座標値を出力するインターフェース部（１０５）を有する。
反射部（１０３Ａ、１０３Ｂ、１０３Ｃ）はシート内部に高密度の三面体キューブ、もしくは高密度のビーズを配置し、入射光を光源方向に反射する再帰性反射シートを用いている。
【００１７】
光学ユニットＬ、Ｒの構成は図２に示すように光源（２０１）と光源から射出された光を扇状に拡散するレンズ（２０２）と反射部からの反射光を受光するレンズ（２０３）および受光部（２０４）から構成される。上記のように、光学ユニットＬ、Ｒは構成される。また、光学ユニットは光の位置を調整する機能を有している。
【００１８】
光源部のＬＤ光源（２０１）から発光された光は、拡散レンズ（２０２）により一定の幅を持った直線上の拡散光となり、ハーフミラーを介して１／２は裏板に照射し、残りの１／２がそのまま保護部材であるガラスに照射する。反射光はハーフミラー表面で反射し、読取レンズを介して、ＣＣＤの受光素子外に結像する。他の拡散光はそのまま透過し、タッチパネル面に平行に照射し、その先にある反射部（１０３Ａ、１０３Ｂ、１０３Ｃ）の再帰反射シートへ照射される。その照射光は、そのまま光源部のＬＤ光源（２０１）へ向かって反射され、ハーフミラーで直角方向と光源部（２０１）に分割される。直角方向の拡散光は、読取レンズ（２０３）を介して回路基板のＣＣＤ（２０４）受光素子に結像され、光−電気信号に変換される。
【００１９】
光学ユニットＬ、Ｒはタッチパネルの下部左右に一定の設定距離をおいて互いに角度を設けて（例えば４５°に設定）配置している。例えば、利用者が、タッチパネルに指などで触れると、この指が遮光物となり光源部（２０１）からの光線を遮る。この結果ＣＣＤ（２０４）が光線を受光しないので、その位置から遮光物の角度を検出する光学ユニットＬ、Ｒ（１０２Ａ、１０２Ｂ）の配置位置から２つのユニット間の距離が分かっているので三角測量の原理により遮光物の座標を検出できる。図７のように座標を定めると、遮光物の座標は数１で与えられる。
【００２０】
【数１】
2004110442.tif 000003
【００２１】
図３で本発明の第一の実施例を説明する。
図３はタッチパネル面（３０１）に光学ユニット（３０２、３０３）が設置されている。タッチパネル面に検知物Ａ、Ｂが置かれている。図４は光学ユニット（３０２）の出力波形（４０１）であり、ａ、ｂの部分が落ち込んでいる。この落ち込みは検知物Ａ、Ｂによって発生しているものであり、この落ち込み（ａ、ｂ）を用い三角法を使って、座標位置を算出している。通常、座標位置の検知手段として、この出力波形に一定の閾値（４０２）を用いて、その閾値より下回った時にその位置を検出する仕組みになっている。本実施例では図５に示すように、この閾値（５０２）を画素位置により変えており、出力波形（５０１）の検知物による落ち込みが大きい画素位置は、低く（もしくは高く）し、出力波形の検知物による落ち込みが小さい画素位置は高く（もしくは低く）している。この様に出力波形の落ち込みの大小により、閾値の値を変更することで、出力波形の落ち込みと閾値の差分をほぼ一定にしている。
【００２２】
さらに、この閾値を各製品ごとに調整することもできる。各製品に基準ピンを設定し、その基準ピンにて、それぞれの出力波形を記憶媒体に記憶させ、その出力波形により、閾値を可変にする。初期状態の出力波形からの一定の差分を算出させてもいい。この様な実施例で、同一検知物に対する出力波形の凹み量を一定にすることで、安定した検出が得られ、タッチパネル個体間のバラツキを吸収することができる。
【００２３】
図６で第二の実施例を説明する。
この実施例では、光学ユニットから検知物の角度によって閾値を設定している。光学ユニット（６０１）に対し、入射角度、及び距離が異なる再帰反射板（６０２）が配置されている。この配置の場合光学ユニット読み取り部に読み込まれる出力波形（６０３）の凹み量が、検知物（６０４）の光学ユニットに対する角度により変化する。そこで、その凹み量（６０５）を検知するための閾値（６０６）を反射板と比例関係もしくは反比例関係を持たせることで、出力波形との差分を一定に保てる。そうすることで、安定した検出が得られる。
また光が強い個所（出力波形の落ち込みが大きい個所）、ここでは中心部では閾値を低くしてもよい。
さらに、上記の閾値の設定は光学ユニット毎に設定し、精度のよい検出を行う。
【００２４】
【発明の効果】
請求項１記載の発明によれば、閾値を定めることにより、検知物の存在を正確に決定することができる。
【００２５】
請求項２記載の発明によれば、検出器に検知されるためには一定の光束を遮蔽する必要があり、装置の信頼性を向上することができる。
【００２６】
請求項３記載の発明によれば、閾値を読み取りエリアによって変える事により、しきい値と出力波形の凹み量が一定に保たれ、安定した検出が得られる。
【００２７】
請求項４記載の発明によれば、例えば（ｘ，ｙ）といった検知物の座標の関数として閾値を定めることにより、出力波形の細かな変動に対応することができる。
【００２８】
請求項５記載の発明によれば、例えば極座標表示における角度の関数として閾値を定めることにより、反射光に指向性の認められる場合に安定した検出を行うことができる。
【００２９】
請求項６記載の発明によれば、閾値を光学ユニットを中心とした角度によって変えることで、光の分布によって発生する光量の違いを吸収でき、安定した検出が得られる。
【００３０】
請求項７記載の発明によれば、閾値を再帰反射板の角度により変えることで、再帰反射特性によって発生する光量の強弱を吸収でき、安定した検出が得られる。
【００３１】
請求項８記載の発明によれば、各タッチパネルそれぞれに閾値を設定する事で、タッチパネルを安易な機構にできる。しいては、安価にできる。
【００３２】
請求項９記載の発明によれば、閾値をタッチパネルに用いる複数個の光学ユニットに対して、独立に設定する事で、より精度の高い検出が可能となる。
【図面の簡単な説明】
【図１】本発明の全体の構成図である。
【図２】本発明の光学ユニットの構成図である。
【図３】検知物の位置を検出する様子を示す図である。
【図４】閾値が一定の場合の検出波形を示す図である。
【図５】閾値が可変の場合の検出波形を示す図である。
【図６】角度が可変な反射板とその場合の出力波形を示す図である。
【図７】２つの受光部と遮蔽物との位置関係を直交座標系で見た図である。
【符号の説明】
１０１　タッチパネル
１０２　光学ユニット
１０３　反射部
２０１　光源
２０２　拡散レンズ
２０３　読み取りレンズ
２０４　ＣＣＤ受光素子
【図１】
2004110442.tif 000004
【図２】
2004110442.tif 000005
【図３】
2004110442.tif 000006
【図４】
2004110442.tif 000007
【図５】
2004110442.tif 000008
【図６】
2004110442.tif 000009
【図７】
2004110442.tif 000010